(57)【要約】【課題】透過原稿全体を照射することが不可能な大きさの光源を用いて、透過原稿を読み取る際の読み取り作業の効率を向上させる。【解決手段】光源、光センサ、データ変換手段、画像処理手段を有し、光源により照射された範囲およびその周囲の光を、センサが検知し、データ変換手段によりデータ化し、画像処理手段が照射された部分のみを抽出する。【選択図】      図８
2004297331.tif 000002
【特許請求の範囲】
【請求項１】
透過原稿の読み取りを行いたい部分の上に設置され、その部分と周辺部のみを照射する光源と、
前記透過原稿を読み取り画像データに変換する変換手段と、
前記透過原稿を読み取ることで得られる画像データから前記光源により照射された部分を抽出するとともに、抽出された画像データから透過原稿の写像部分を抽出する抽出手段と、
を有することを特徴とする画像読み取りシステム。
【請求項２】
前記光源により照射される範囲を指定するための指定手段を有し、前記抽出手段は前記指定手段により指定された範囲を読み取ることで得られる画像データから前記光源により照射された部分を抽出することを特徴とする請求項１に記載の画像読み取りシステム。
【請求項３】
透過原稿の読み取りを行いたい部分の上に設置され、その部分と周辺部のみを照射する光源と、
前記透過原稿を読み取り画像データに変換する変換手段と、
前記透過原稿を読み取ることで得られる画像データから前記光源により照射された部分に含まれる写像部分を抽出する抽出手段と、
を有することを特徴とする画像読み取りシステム。
【請求項４】
前記光源により照射される範囲を指定するための指定手段を有し、前記抽出手段は前記指定手段により指定された範囲を読み取ることで得られる画像データから前記透過原稿の写像部分を抽出することを特徴とする請求項３に記載の画像読み取りシステム。
【請求項５】
透過原稿の読み取りを行いたい部分の上に設置され、その部分と周辺部のみを照射する光源と、前記透過原稿を読み取り画像データに変換する変換手段とを有する画像読み取りシステムに適用される画像読み取り制御プログラムであって、
前記透過原稿を読み取ることで得られる画像データから前記光源により照射された部分を抽出する第１の抽出モジュールと、
前記第１の抽出モジュールにより抽出された画像データから透過原稿の写像部分を抽出する第２の抽出モジュールと、
を有することを特徴とする画像読み取り制御プログラム。
【請求項６】
前記光源により照射される範囲を指定するための指定モジュールを有し、前記第１の抽出モジュールでは前記指定モジュールにより指定された範囲を読み取ることで得られる画像データから前記光源により照射された部分を抽出することを特徴とする請求項５に記載の画像読み取り制御プログラム。
【請求項７】
透過原稿の読み取りを行いたい部分の上に設置され、その部分と周辺部のみを照射する光源と、前記透過原稿を読み取り画像データに変換する変換手段とを有する画像読み取りシステムに適用される画像読み取りプログラムであって、
前記透過原稿を読み取ることで得られる画像データから前記光源により照射された部分に含まれる写像部分を抽出する抽出モジュールを有することを特徴とする画像読み取り制御プログラム。
【請求項８】
前記光源により照射される範囲を指定するための指定モジュールを有し、前記抽出モジュールでは前記指定モジュールにより指定された範囲を読み取ることで得られる画像データから前記透過原稿の写像部分を抽出することを特徴とする請求項７に記載の画像読み取り制御プログラム。
【発明の詳細な説明】
【０００１】
【発明の属する技術分野】
本発明は、透過原稿を読み取る画像読み取りシステムに関する。
【０００２】
【従来の技術】
近年、文書や写真等の反射原稿を読み取るためのフラットベッドスキャナに現像済写真フィルムのような透過原稿読み取り機能を付加したものが製品化されている。例えば、透過原稿読み取り機能付きのフラットベッドスキャナでは、反射原稿照射用の光源とは別に透過原稿を照射する専用光源が設けられている（特許文献１参照）。３５ｍｍネガフィルムは、通常６コマ分の長さに切られていることが多いが、６コマ分を照射するためには大きな透過原稿用光源が必要になる。そこで、１コマしか照射することができない大きさの透過原稿用光源を用いたスキャナが考えられてきた。この場合には、透過原稿用光源で照射可能な領域に透過原稿の読み取りたいコマが位置するように設置し、透過原稿用光源により照射される予め決まった範囲のみを読み取るように構成されていた。
【０００３】
【特許文献１】
特開２００３−８８３５号公報
【０００４】
【発明が解決しようとする課題】
しかしながら、同じフィルム原稿の別のコマ（範囲）を読み取りたい場合には、読み取りたい別のコマが光源の照射領域に位置するように透過原稿の位置をずらさなければならない。また、その場合にフィルム原稿の位置をずらして設置し直すことは、透過原稿上に傷やほこりが付く要因になるため慎重に行う必要があり、その操作が煩雑であるという問題があった。
【０００５】
【課題を解決するための手段】
本発明は、上記課題を解決するためになされたものであり、請求項１に記載の画像読み取りシステムは、透過原稿の読み取りを行いたい部分の上に設置され、その部分と周辺部のみを照射する光源と、前記透過原稿を読み取り画像データに変換する変換手段と、前記透過原稿を読み取ることで得られる画像データから前記光源により照射された部分を抽出するとともに、抽出された画像データから透過原稿の写像部分を抽出する抽出手段と、を有することを特徴とする。
【０００６】
請求項３に記載の画像読み取りシステムは、透過原稿の読み取りを行いたい部分の上に設置され、その部分と周辺部のみを照射する光源と、前記透過原稿を読み取り画像データに変換する変換手段と、前記透過原稿を読み取ることで得られる画像データから前記光源により照射された部分に含まれる写像部分を抽出する抽出手段と、を有することを特徴とする。
【０００７】
請求項５に記載の画像読み取り制御プログラムは、透過原稿の読み取りを行いたい部分の上に設置され、その部分と周辺部のみを照射する光源と、前記透過原稿を読み取り画像データに変換する変換手段とを有する画像読み取りシステムに適用される画像読み取り制御プログラムであって、前記透過原稿を読み取ることで得られる画像データから前記光源により照射された部分を抽出する第１の抽出モジュールと、前記第１の抽出モジュールにより抽出された画像データから透過原稿の写像部分を抽出する第２の抽出モジュールと、を有することを特徴とする。
【０００８】
請求項７に記載の画像読み取り制御プログラムは、透過原稿の読み取りを行いたい部分の上に設置され、その部分と周辺部のみを照射する光源と、前記透過原稿を読み取り画像データに変換する変換手段とを有する画像読み取りシステムに適用される画像読み取りプログラムであって、前記透過原稿を読み取ることで得られる画像データから前記光源により照射された部分に含まれる写像部分を抽出する抽出モジュールを有することを特徴とする。
【０００９】
【発明の実施の形態】
（第１の形態）
以下、図面を参照して本発明の好適な実施形態について説明する。
【００１０】
図１は本発明の実施形態にかかる画像読取装置を表す部分透過図であり、（ａ）は斜視図、（ｂ）は側面図、（ｃ）は上面図である。同図において、２０２は画像読取ユニット、１１５はステッピングモータ、２０４は駆動ベルト、４は原稿台ガラス、２０７は制御基板、１０１は３５ｍｍ写真フィルム等の透過原稿、７は白色基準板を兼ねた原稿規制板、８はフラットケーブル、９は外部コンピュータ、１１０１は画像読取ユニット２０２を取り付けるキャリッジ、１１０２は３５ｍｍ写真フィルム６を固定する、画像読取装置から着脱可能なフィルムホルダー、１１０３は画像読取装置から着脱可能なフィルム用光源ユニット、１１０４は光源ユニット１１０３と制御基板２０７を接続するためのケーブル、１１０５は原稿規制板である。この図から明らかなように、複数コマ（例えば６コマ）からなる写真フィルム原稿１０１のこれからスキャンしようとするコマの上に光源ユニット１１０３を設置することができるようになっている。
【００１１】
図２は図１に示した画像読取装置のハード構成図である。図２において、１０２はレンズ、１０３はレンズ１０２によって結像した画像を電気信号（画像データ）に変換する受光素子群を示す。１０４は読み取り信号を処理して２値化する画像処理回路、１０５はラインバッファを示す。
【００１２】
１０６−１，１０６−２はコンピュータ等の外部機器１１２との通信に使うインターフェイス回路、１０７はラインバッファ１０５を各色光源毎に制御するラインバッファ制御回路を示す。１０８はＣＰＵ（中央演算処理装置）、  １１３はＲＡＭ（ランダムアクセスメモリ）、１１４はＲＯＭ（リードオンリーメモリー）であり、これらによりラインバッファ制御回路１０７に対して格納ライン数を指示し、ＵＳＢ１．１用のインターフェイス回路１０６−１，ＵＳＢ２．０用のインターフェイス回路１０６−２によって外部機器へデータを送信する。
【００１３】
１１１は透過原稿を照明するための光源ＬＥＤであり、１０９は光源ＬＥＤのＯＮ／ＯＦＦ制御回路である。なお、他に反射原稿を照明するための光源も設けられているが、ここでは説明を省略する。ＲＡＭ（１１３）には一時的に読み取った画像データが記憶される。ＲＯＭ（１１４）には読み取り等の制御処理プログラムが埋め込まれている。１１５はＣＰＵ１０８に接続されたモータおよびモータ制御回路である。
【００１４】
図３に本実施形態における画像読取装置の断面図を示す。２０１は枠体、２０２はセンサユニット、２０３はセンサユニットを副走査方向へ移動する基準となる基準軸、２０４はセンサユニット２０２に接続されセンサユニットを基準軸に沿って動作させるための動作ベルト、２０５はステッピングモータ、２０６はモータからの駆動をベルトに伝えるためのギア群である。
【００１５】
外部機器からスキャン命令を受けた画像読取装置のＣＰＵ１０８はモータ２０５を駆動し、ギア群２０６を介してベルトを駆動する。これによりセンサユニット２０２が基準軸２０３に沿って副走査方向へ移動して画像を読み取る。２０７は基板であり、２０８はＵＳＢの接続コネクタ、２０９はセンサユニット２０２と基板２０７を接続するためのフラットケーブル、２１０は外部電源であるＡＣアダプタの接続用コネクタである。
【００１６】
図４は、本システムにより読み取りを行う透過原稿として６コマ分に切られた３５ｍｍネガフィルムを示した図である。本実施形態では、コマ５の位置に透過原稿を照射するための光源を置いていることとする。光源によってコマ５の写像領域３０３よりも広い領域３０２が照射される。本システムでは光源１１１による照射領域のみではなく、光源１１１により照射されていない部分も含めて透過原稿全体３０１の読み取りを行う。
【００１７】
図５及び図６は、透過原稿の読み取り範囲を指定するためのユーザーインターフェースを示した図である。また、図７は、外部コンピュータ９及びＣＰＵ１０８の制御により実行される画像読み取り制御プログラムのフローチャートである。図５及び６を参照しながら図７を用いて本システムのフローを説明する。
【００１８】
本プログラムを実行する前に、フィルム原稿の５コマ目を読み取るためにユーザが５コマ目の上に透過原稿用光源を予め設置しているものとする。まず、図５に示すユーザーインターフェースにおいて、「コマ選択」として「全コマ」を指定（選択）する。（ステップＳ７０１）
次に、透過原稿全体（全コマ）の領域（図４の３０１）のプレビュー画像の読み取りを行う（ステップＳ７０２）。
【００１９】
そして、光源により照射されていない領域から適切なデータが得られないことを利用して、プレビュー画像全体から光源により照射されている領域（図４の３０２）の抽出を行う（ステップＳ７０３）。
【００２０】
さらに、写像領域とそのまわりの領域との濃度差を利用して写像領域のエッジを抽出し、写像領域（図４の３０３）のみを抽出する（ステップＳ７０４）。
なお、図７のステップＳ７０３をスキップし、プレビュー画像全体から写像領域のエッジを直接抽出し、写像領域のみを抽出することも可能である。さらに、図５のユーザーインターフェースを表示しないで透過原稿全体の読み取りを行い、写像部分のみを抽出することも可能である。
【００２１】
（第２の形態）
図８は、第２の形態における外部コンピュータ９及びＣＰＵ１０８の制御により実行される画像読み取り制御プログラムのフローチャートである。図８に示すフローチャートを参照して、本システムの動作フローを説明する。
【００２２】
本プログラムを実行する前に、フィルム原稿の５コマ目を読み取るためにユーザが５コマ目の上に透過原稿用光源を予め設置しているものとする。その状態で、モニタ画面上に表示された図６のユーザーインターフェースにおいて、「コマ選択」として「５コマ目」を指定（選択）する。（ステップＳ８０１）
次に、図９に示すように透過原稿の５コマ目の周辺の領域９０１のプレビュー画像を読み取る（ステップＳ８０２）。
【００２３】
そして、光源により照射されていない領域は、適当なデータが得られないことを利用し、５コマ目周辺のプレビュー画像全体から、光源により照射されている領域９０２の抽出を行う（ステップＳ８０３）。
【００２４】
さらに、写像領域とそのまわりの領域との濃度差を利用し、写像領域のエッジを抽出し、写像領域９０３のみを抽出する（ステップＳ８０４）。
【００２５】
なお、図８のステップＳ８０２をスキップし、プレビュー画像全体から写像領域のエッジを直接抽出し、写像領域のみを抽出することも可能である。
【００２６】
また、上述した第１又は第２の形態に記載した画像読取装置の画像読み取り制御プログラムを記憶した任意の記憶媒体が、上述した画像読取装置と接続された外部コンピュータ９に上記プログラムを供給し、外部コンピュータ９が上記プログラムを実行してもよい。上記プログラムを供給する記憶媒体としては、例えば、フロッピー（Ｒ）デイスク、ハードディスク、光ディスク、光磁気ディスク、ＣＤ−ＲＯＭ、ＣＤ−Ｒ、磁気テープ、不揮発性のメモリカード、若しくはＲＯＭなどがある。
【００２７】
また、記憶媒体が供給する上記プログラムは、コンピュータに挿入された不図示の機能拡張ボードやコンピュータに接続された不図示の機能拡張ユニットに備わる不図示のメモリに書き込まれた後、その機能拡張ボードや機能拡張ユニットに備わる不図示のＣＰＵ等が上記プログラムの一部または全部を実行してもよい。
【００２８】
この他、コンピュータ上で稼働しているＯＳなどが上記プログラムの一部または全部を実行してもよい。
【００２９】
【発明の効果】
以上説明したように、透過原稿の一部のみを照射する光源を用いて透過原稿を読み取る場合に、簡単に読み取りたい写像範囲を抽出して読み取ることができ、読み取り作業効率を向上させることができる。
【図面の簡単な説明】
【図１】本発明の実施形態にかかる画像読取装置を表す部分透過図である。
【図２】本発明の実施形態に係る画像読取装置のハードウエア構成を示すブロック図である。
【図３】本発明の実施形態に係る画像読み取り装置の上視図である。
【図４】本発明の実施形態に係る透過原稿の図である。
【図５】本発明の実施形態に係るユーザーインターフェースの図である。
【図６】本発明の実施形態に係るユーザーインターフェースの図である。
【図７】本発明の実施形態に係る画像読み取りシステム説明するフローチャートである。
【図８】本発明の実施形態に係る画像読み取りシステム説明するフローチャートである。
【図９】本発明の実施形態に係る透過原稿の図である。
【符号の説明】
１０３  受光素子群
１０４  画像処理回路
１０５  ラインバッファ
１０６−１  インターフェイス回路１
１０６−２  インターフェイス回路２
１０７  ラインバッファ制御回路
１０８  ＣＰＵ
１０９  内部光源ＯＮ／ＯＦＦ制御回路
１１１  Ｒ，Ｇ，Ｂ（各々）
１１２  外部機器
１１３  ＲＡＭ
１１４  ＲＯＭ
１１５  モータ・ドライバ回路
【図１】
2004297331.tif 000003
【図２】
2004297331.tif 000004
【図３】
2004297331.tif 000005
【図４】
2004297331.tif 000006
【図５】
2004297331.tif 000007
【図６】
2004297331.tif 000008
【図７】
2004297331.tif 000009
【図８】
2004297331.tif 000010
【図９】
2004297331.tif 000011